(57)【要約】      （修正有）【課題】工具を使用せずに組み立ておよび分解されるモジュール式眼鏡を提供する。【解決手段】１対のレンズ１１０、１１２と、１対のレンズを受け入れるための１対のリムと両サイドにスロットとを有する中央フレームエレメント５３０と、前フレームエレメント５２０の両サイドにスロットを有し、前フレームエレメントの一部が中央フレームエレメントの１対のリムの部分に張り出している前フレームエレメントと、前フレームエレメントと同様な後フレームエレメント５４０と、スロット５４７内にしっかりと嵌合する圧縮可能な端部を有する１対のテンプルとを備え、レンズはリムの中に配置され、中央フレームエレメントは前フレームエレメントと後フレームエレメントとの間に配置され、テンプルはスロットに挿入されることで、フレームエレメントは一緒に固定されて、レンズはフレームエレメントによって定位置に保持されるようになる。【選択図】図５
0003224837.tif 000002
【実用新案登録請求の範囲】
【請求項１】
工具を使用せずに組み立ておよび分解されるモジュール式眼鏡であって、
ａ）１対のレンズと、
ｂ）前記１対のレンズを受け入れるための開口を規定する１対のリムと、両サイドのスロットとを有する中央フレームエレメントと、
ｃ）前記中央フレームエレメントの長さと同じ長さの前フレームエレメントであって、前記前フレームエレメントの両サイドにスロットを有し、前記前フレームエレメントのスロットが前記中央フレームエレメントのスロットと整列するとき、前記前フレームエレメントの一部が前記１対のリムによって規定される前記開口の一部に張り出す前フレームエレメントと、
ｄ）前記中央フレームエレメントの長さと同じ長さの後フレームエレメントであって、前記後フレームエレメントの両サイドにスロットを有し、前記後フレームエレメントのスロットが前記中央フレームエレメントのスロットと整列するとき、前記後フレームエレメントの一部が前記１対のリムによって規定される前記開口の一部に張り出す後フレームエレメントと、
ｅ）前記前フレームエレメント、後フレームエレメントおよび中央フレームエレメントのスロット内にしっかりと嵌合する圧縮可能な端部を有し、前記圧縮可能な端部が圧縮されて、前記スロットに挿入され、解放されると、前記圧縮可能な端部が広がり、前記スロット内に固定される１対のテンプルと、を備え、
ｆ）前記１対のレンズは前記１対のリムの中に配置され、
前記中央フレームエレメントは、前記中央フレームエレメントのスロットが前記前フレームエレメント、後フレームエレメントのスロットと整列するように前記前フレームエレメントと前記後フレームエレメントとの間に配置され、前記１対のテンプルの前記圧縮可能な端部は前記前フレームエレメント、後フレームエレメントおよび中央フレームエレメントの前記スロットに挿入されて、解放されることで、前記前フレームエレメント、後フレームエレメントおよび中央フレームエレメントは一緒に固定されて、前記１対のレンズは前記前フレームエレメント、後フレームエレメントおよび中央フレームエレメントによって定位置にしっかりと保持されるモジュール式眼鏡。
【請求項２】
前記中央フレームエレメントは、前記１対のリムを連結するためのブリッジをさらに備える、請求項１に記載のモジュール式眼鏡。
【請求項３】
前記中央フレームエレメントの両サイドの前記スロットは長方形の開口である請求項２に記載のモジュール式眼鏡。
【請求項４】
前記前フレームエレメントは、前記中央フレームエレメントの前記１対のリムの少なくとも一部と同延する部分を備える、請求項３に記載のモジュール式眼鏡。
【請求項５】
前記前フレームエレメントの両サイドの前記スロットは、長方形の開口である、請求項４に記載のモジュール式眼鏡。
【請求項６】
前記後フレームエレメントは、前記中央フレームエレメントの前記１対のリムの少なくとも一部と同延する部分を備える、請求項５に記載のモジュール式眼鏡。
【請求項７】
前記後フレームエレメントの両サイドの前記スロットは、長方形の開口である、請求項６に記載のモジュール式眼鏡。
【請求項８】
前記１対のテンプルのそれぞれの前記圧縮可能な端部は、各アームの端部に垂直部を有する平行な２本のアームをさらに備える、請求項７に記載のモジュール式眼鏡。
【請求項９】
工具を使用せずに組み立ておよび分解されるモジュール式眼鏡であって、
ａ）左レンズおよび右レンズと、
ｂ）前記左レンズ用の左開口を規定する左リム、前記右レンズ用の右開口を規定する右リム、前記左右のリムを接続するブリッジ、および両サイドのスロットを有し、各リムが各レンズを受け入れるように構成されている、中央フレームエレメントと、
ｃ）前記中央フレームエレメントの長さと同じ長さの前フレームエレメントであって、前記前フレームエレメントの両サイドにスロットを有し、前記前フレームエレメントのスロットが前記中央フレームエレメントのスロットに整列するとき、前記前フレームエレメントの一部が前記１対のリムによって規定される前記左右の開口の一部に張り出す前フレームエレメントと、
ｄ）前記中央フレームエレメントの長さと同じ長さの後フレームエレメントであって、前記後フレームエレメントの両サイドにスロットとを有し、前記後フレームエレメントのスロットが前記中央フレームエレメントのスロットに整列するとき、前記後フレームエレメントの一部が前記１対のリムによって規定される前記左右の開口の一部に張り出す後フレームエレメントと、
ｅ）前記前フレームエレメント、後フレームエレメントおよび中央フレームエレメントの前記スロット内にしっかりと嵌合する圧縮可能な端部をそれぞれ有し、前記圧縮可能な端部が圧縮され、前記スロットに挿入され、解放されると、前記圧縮可能な端部が広がって、前記スロット内に固定されるようになる、左テンプルおよび右テンプルと、を備え、
ｆ）前記左右のレンズは前記中央フレームエレメントの前記左右のリムの中にそれぞれ配置され、前記中央フレームエレメントは、前記中央フレームエレメントの前記スロットが前記前フレームエレメント、後フレームエレメントの前記スロットと整列するように、前記前フレームエレメントと前記後フレームエレメントとの間に配置され、前記左テンプルの前記圧縮可能な端部は前記前フレームエレメント、後フレームエレメントおよび中央フレームエレメントの左側スロットに挿入されて、解放され、前記右テンプルの前記圧縮可能な端部は、前記前フレームエレメント、後フレームエレメントおよび中央フレームエレメントの右側スロットに挿入されて、解放されることで、前記前フレームエレメント、後フレームエレメントおよび中央フレームエレメントは一緒に固定されて、前記左右のレンズは前記前フレームエレメント、後フレームエレメントおよび中央フレームエレメントによって定位置にしっかりと保持されるモジュール式眼鏡。
【請求項１０】
前記中央フレームエレメントは、前記左右のリムを連結するためのブリッジをさらに備える、請求項９に記載のモジュール式眼鏡。
【請求項１１】
前記中央フレームエレメントの両サイドの前記スロットは、長方形の開口である、請求項１０に記載のモジュール式眼鏡。
【請求項１２】
前記前フレームエレメントは、前記中央フレームエレメントの前記左右のリムの少なくとも一部と同延する部分を備える、請求項１１に記載のモジュール式眼鏡。
【請求項１３】
前記前フレームエレメントの両サイドの前記スロットは、長方形の開口である、請求項１２に記載のモジュール式眼鏡。
【請求項１４】
前記後フレームエレメントは、前記中央フレームエレメントの前記左右のリムの少なくとも一部と同延する部分を備える、請求項１３に記載のモジュール式眼鏡。
【請求項１５】
前記後フレームエレメントの両サイドの前記スロットは、長方形の開口である、請求項１４に記載のモジュール式眼鏡。
【請求項１６】
前記左右テンプルのそれぞれの前記圧縮可能な端部は、各アームの端部に垂直部を有する平行な２本のアームをさらに備える、請求項１５に記載のモジュール式眼鏡。
【請求項１７】
工具を使用せずに組み立ておよび分解されるモジュール式眼鏡であって、
ａ）１対のレンズと、
ｂ）前記１対のレンズを受け入れるための開口を規定する１対のリムと、両サイドにスロットとを有し、各リムが開口を形成する中央フレームエレメントと、
ｃ）１対のリムと両サイドにスロットを有する前フレームエレメントであって、前記前フレームエレメントのスロットが前記中央フレームエレメントのスロットに整列するとき、前記前フレームエレメントの前記１対のリムの一部が前記中央フレームエレメントの１対のリムによって規定される前記開口の一部に張り出す前フレームエレメントと、
ｄ）前記中央フレームエレメントとの長さと同じ長さの後フレームエレメントであって、前記後フレームエレメントの両サイドにスロットを有し、前記後フレームエレメントのスロットが前記中央フレームエレメントのスロットに整列するとき、前記後フレームエレメントの一部が前記中央フレームエレメントの１対のリムによって規定される開口の一部に張り出す後フレームエレメントと、
ｅ）前記前フレームエレメント、後フレームエレメントおよび中央フレームエレメントの前記スロット内にしっかりと嵌合する圧縮可能な端部を有し、前記圧縮可能な端部が圧縮され、前記スロットに挿入され、解放されると、前記圧縮可能な端部は広がって、前記スロット内に固定される１対のテンプルと、を備え、
ｆ）前記１対のレンズは前記１対のリムの中に配置され、
前記中央フレームエレメントは、前記中央フレームエレメントの前記スロットが前記前フレームエレメント、後フレームエレメントの前記スロットと整列するように、前記前フレームエレメントと前記後フレームエレメントとの間に配置され、前記１対のテンプルの前記圧縮可能な端部は前記前フレームエレメント、後フレームエレメントおよび中央フレームエレメントの前記スロットに挿入されて、解放されると、前記前フレームエレメント、後フレームエレメントおよび中央フレームエレメントは一緒に固定されて、前記１対のレンズは前記前フレームエレメント、後フレームエレメントおよび中央フレームエレメントによって定位置にしっかりと保持されるモジュール式眼鏡。
【請求項１８】
前記中央フレームエレメントは、前記１対のリムを連結するためのブリッジをさらに備える、請求項１７に記載のモジュール式眼鏡。
【請求項１９】
前記中央フレームエレメントの両サイドの前記スロットは、長方形の開口である、請求項１８に記載のモジュール式眼鏡。
【請求項２０】
前記前フレームエレメント、後フレームエレメントの両サイドの前記スロットは、長方形の開口である、請求項１９に記載のモジュール式眼鏡。
【考案の詳細な説明】
【技術分野】
【０００１】
本考案は眼鏡の分野に関し、より具体的には眼鏡の設計および構造の分野に関する。
【背景技術】
【０００２】
眼鏡は、通例、鼻にかかるブリッジと、耳に掛けるアーム、つまりテンプルとを使用して、人の目の正面にレンズを保持するフレームに取り付けられているガラス製または硬質プラスチック製のレンズから構成される器具である。レンズは、装着者が視力を矯正する必要がある場合、矯正レンズであってもよい。人は年を取るほど眼鏡が必要になる傾向が高くなり、６５〜７５歳の年齢のほとんどの人は矯正レンズを装着している。サングラスは明るい昼光での視力をよくし、高レベルの紫外線による損傷から人の目を保護することもできる。典型的なサングラスは明るい光またはまぶしい光から保護するために暗くされている。
【０００３】
眼鏡の最も一般的な構成は、ねじ、鋲または同様なものを使用して閉位置に維持される金属製またはプラスチック製の輪状締結バンドを使用し、実質的、恒久的にフレームに固定されるレンズを備える。この構成では、カスタムレンズは使用するフレームの中に正確に嵌合されなければならない。レンズの度数および／またはスタイルに対応するレンズの厚さは、装着者が選んだ特定のフレームに適合しなければならない。そのため、必要なカスタマイゼーションのためには、眼鏡アセンブリの組み立てのために多大な時間と労力を費やす。さらに、読書用眼鏡の必要な人には、フレームの選択肢において、その特定のフレームに対するレンズの形状および厚みの選択肢が限られているため、幅広い柔軟性がない。典型的な読書用眼鏡のフレームは、適合性のために特定のレンズ形状および厚みが必要なため、度数の強いレンズが必要な人は、重くて付け心地の悪い、美的に魅力のない外観のものをもちがちである。
【０００４】
形は一定のままでも色が異なっていて、ユーザの好みに応じて選択することができる眼鏡のフレームは既知である。他方で、同じベースフレームを有し、表面のサイズまたは形状を自由に選択することのできるフレームが知られている。
【考案の概要】
【０００５】
しかし、このようなフレームをもつ眼鏡の組み立ては比較的複雑で、通常専門家が行わなければならない。さらに、眼鏡、およびその外観はそれほど容易に変更および改造することはできない。そのため、実際には、ユーザは必要な状況に合わせて、異なるレンズ、美観または色が異なる複数の眼鏡を購入することが多い。このことは、ユーザに様々な状況に合わせた多数の眼鏡が必要となり、費用がかかりがちである。
【０００６】
その結果、先行技術に対する改良の必要性があり、より具体的には、より多目的でユーザにより多くの選択肢を提供する、より単純な眼鏡の必要性がある。
【０００７】
工具を使用せずに組み立ておよび分解されるモジュール式眼鏡を開示する。本考案の概要は、提供される図面を含めた以下の詳細な説明において詳しく説明され開示される概念の抜粋を簡略化した形で紹介するために記載する。本考案の概要は請求される対象の重要な特徴または本質的な特徴を特定するためのものではない。また、本考案の概要は請求される対象の範囲を制限するために使用されるものでもない。
【０００８】
一実施形態において、工具を使用せずに組み立ておよび分解されるモジュール式眼鏡を開示する。モジュール式眼鏡は、１対のレンズと、１対のレンズを受け入れるための開口を規定する１対のリムおよび中央フレームエレメントの両サイドにスロットを含む中央フレームエレメントと、中央フレームエレメントの長さと実質的に同じ長さの前フレームエレメントであって、前フレームエレメントの両サイドにスロットを有し、前フレームエレメントのスロットが中央フレームエレメントのスロットと整列するとき、前フレームエレメントの一部が１対のリムによって規定される開口の一部に張り出す前フレームエレメントと、中央フレームエレメントの長さと実質的に同じ長さの後フレームエレメントであって、後フレームエレメントの両サイドにスロットを有し、後フレームエレメントのスロットが中央フレームエレメントのスロットに整列するとき、後フレームエレメントの一部が１対のリムによって規定される開口の一部に張り出す後フレームエレメントと、前フレームエレメント、後フレームエレメントおよび中央フレームエレメントのスロット内にしっかりと嵌合して、圧縮可能な端部が圧縮され、前記スロットに挿入され、解放されることで、前記圧縮可能な端部が広がって、前記スロット内に固定されるようになる圧縮可能な端部を有する１対のテンプルと、を備え、１対のレンズは１対のリムの中に配置され、中央フレームエレメントは、中央フレームエレメントのスロットが前フレームエレメント、後フレームエレメントのスロットと整列するように、前フレームエレメントと後フレームエレメントとの間に配置され、１対のテンプルの圧縮可能な端部は前フレームエレメント、後フレームエレメントおよび中央フレームエレメントのスロットに挿入されて、解放されることで、前フレームエレメント、後フレームエレメントおよび中央フレームエレメントは一緒に固定されて、１対のレンズは前フレームエレメント、後フレームエレメントおよび中央フレームエレメントによって定位置にしっかりと保持されるようになる。
【０００９】
開示される実施形態の追加の態様は、以下の説明に一部が記載され、一部は説明から明らかになる、または開示される実施形態の手順により分かるであろう。開示される実施形態の態様は添付の実用新案登録請求の範囲で特に指摘する要素および組み合わせによって実現および達成されよう。上記の一般的な説明と以下の詳細な説明はともに例示的で説明的なものにすぎず、請求されるように、開示される実施形態を制限するものではないと理解されるべきである。
【図面の簡単な説明】
【００１０】
本明細書に組み込まれ、その一部を成す添付の図面は、本考案の実施形態を例示し、明細書と合わせて、開示される実施形態の原理を説明するためのものである。本明細書に例示される実施形態は、現在好適なものであるが、本考案は図示される構成および手段に制限されない。
【図１】は、例示的な実施形態による、組み立てた状態のモジュール式眼鏡の下面斜視図である。
【図２】は、例示的な実施形態による、組み立てた状態のモジュール式眼鏡の側面図である。
【図３】は、例示的な実施形態による、組み立てた状態のモジュール式眼鏡の下面図である。
【図４】は、例示的な実施形態による、組み立てた状態のモジュール式眼鏡の正面図である。
【図５】は、例示的な実施形態による、分解した状態のモジュール式眼鏡の上面斜視図である。
【図６】は、例示的な実施形態による、モジュール式眼鏡のテンプルの側面図である。
【図７】は、例示的な実施形態による、分解した状態のモジュール式眼鏡の側斜視図である。
【図８】は、例示的な実施形態による、モジュール式眼鏡の側断面図である。
【図９】は、例示的な実施形態による、モジュール式眼鏡の中央フレームエレメントの正面図である。
【考案を実施するための形態】
【００１１】
以下の詳細な説明は、添付の図面を参照する。図面および以下の説明において、同じまたは類似の要素の言及には、可能な限り、同じ参照符号を使用している。開示された実施形態の説明は、変更、改造およびその他の実施が可能である。例えば、図面に図示されている要素に交替、追加、変更を行ってもよく、本明細書に説明される方法は、交替し、順序を変え、または開示される方法およびデバイスに追加のステージまたは構成要素を追加することにより変更してもよい。したがって、以下の詳細な説明は開示される実施形態を制限しない。代わりに、開示される実施形態の正しい範囲は添付の実用新案登録請求の範囲により定義される。
【００１２】
開示される実施形態は、工具を使用することなく、かつ多大な時間を費やすことなく、テンプル、フレーム部材およびレンズを容易に入れ替えまたは交換できる単純で、安価で使用しやすいモジュール式眼鏡システムを開示することによって先行技術を改善する。したがって、一対のレンズをもつ装着者は、異なる色、形状およびスタイルのテンプルおよびフレームエレメントをいつでも使用することができる。そのため、一対の処方レンズを地味なオフィススタイルからスポーティなアウトドアスタイルに、工具を使用しなくてもほんの数秒で変換することができる。そのため、開示される実施形態は、眼鏡アセンブリを組み立てるために必要な多大な時間および労力を省く。開示される実施形態は、さらに、装着者のフレームおよびテンプルの選択肢に幅広い柔軟性を与える。そのため、開示される実施形態はユーザが異なるレンズ、美観または色の異なる複数の眼鏡を、必要とする状況に合わせて購入する必要性を低減または排除し、それによって、ユーザの時間および金銭を節約する。
【００１３】
図１は、例示的な実施形態による、組み立てた状態のモジュール式眼鏡１００の下面斜視図である。モジュール式眼鏡１００は工具を使用せずに組み立ておよび分解してもよい。モジュール式眼鏡１００は、１対のレンズ１１０、１１２（左レンズ１１０および右レンズ１１２）を保持するフレームアセンブリ１０５と、１対のテンプル１１５、１１７（左テンプル１１５、右テンプル１１７）とを備える。左テンプル１１５の近位先端１２５は、フレームアセンブリ１０５を貫いて延びている。右テンプル１１７の近位先端１２７もフレームアセンブリ１０５を貫いて延びている。テンプル１１５、１１７は、フレームアセンブリ１０５の側面に配置されて、フレームアセンブリ１０５から延び、耳の上を通り、装着者の顔に眼鏡を留めておく延長アームを備える。
【００１４】
図２は、例示的な実施形態による、組み立てた状態のモジュール式眼鏡１００の側面図である。図２は、フレームアセンブリ１０５と、フレームアセンブリ１０５を貫いて延びている右テンプル１１７の近位先端１２７とを示す。
【００１５】
図３は、例示的な実施形態による、組み立てた状態のモジュール式眼鏡１００の下面図である。図３は、フレームアセンブリ１０５、フレームアセンブリ１０５を貫いて延びている左テンプル１１５の近位先端１２５、およびフレームアセンブリ１０５を貫いて延びている右テンプル１１７の近位先端１２７を示す。
【００１６】
図４は、例示的な実施形態による、組み立てた状態のモジュール式眼鏡１００の正面図である。図４は、１対のレンズ１１０、１１２（左レンズ１１０および右レンズ１１２）を保持するフレームアセンブリ１０５を示す。図４は、フレームアセンブリ１０５が１対のレンズを受け入れる１対の開口を規定する１対のリムを含み、１対のリムはブリッジ４０２によって接合されることを示す。ブリッジ４０２は装着者の両目の間の領域に略対応する領域に延びている。ブリッジ４０２は、ユーザの鼻に載せる、フレームアセンブリ１０５の前中心にある弓形部品であり、眼鏡の重量のほとんどを支えるように設計されている。ブリッジの少なくとも一部、または、いくつかの実施形態では、ブリッジの全体を形成するブローバーを含むが、これだけに制限されず、他の適切な構成を使用することができる。
【００１７】
図５は、例示的な実施形態による、分解した状態のモジュール式眼鏡１００の上面斜視図である。モジュール式眼鏡１００は工具を使用せずに組み立ておよび分解できるよう、開示される。モジュール式眼鏡１００は１対のレンズ１１０、１１２を備え、フレームアセンブリ１０５は、前フレームエレメント５２０、中央フレームエレメント５３０、および後フレームエレメント５４０の３つのフレームエレメントから構成される。中央フレームエレメント５３０は、１対のレンズを受け入れるための開口を規定する１対のリム５０２、５０４と、中央フレームエレメントの両サイドにスロット（５３５、５３７）とを含む。１対のリム５０２、５０４はレンズ１１０、１１２を定位置に保持する溝付きまたは段付きの受け部または内面（図示せず）を含んでもよい。スロット５３５、５３７は長方形、楕円形、円形、四角形、鍵穴形、六角形、五角形、八角形、星形または同様なものであってもよい。
【００１８】
レンズ１１０、１１２は任意の形状またはサイズであってもよい。モジュール式眼鏡１００は矯正もしくは度付きレンズ、偏光レンズ、または、外観もしくは色を変え、または紫外（ＵＶ）線（ＵＶ−ＡおよびＵＶ−Ｂタイプ）からの保護をするための透明なアクセサリレンズ等の度なしレンズも使用することができる。レンズ１１０、１１２は、標準的なプラスチック、高屈折プラスチック、ポリカーボネート、トライベックス、硬質樹脂（ＣＲ−３９）およびクラウンガラスを含む、任意の適切な材料から作ることができる。
【００１９】
フレームアセンブリ１０５は、中央フレームエレメント５３０の長さと実質的に同じ長さで、前フレームエレメントの両サイドにスロット（５２５、５２７）とを有し、前フレームエレメントのスロットが中央フレームエレメントのスロットと整列するとき、前フレームエレメントの一部が１対のリム５０２、５０４によって規定される開口の一部に張り出す前フレームエレメント５２０をさらに含む。すなわち、前フレームエレメント５２０の１対のリム５１２、５１４によって規定される開口は、中央フレームエレメント５３０の１対のリム５０２、５０４によって規定される開口よりも小さくてよいため、前フレームエレメントの一部が１対のリム５０２、５０４によって規定される開口に張り出すようになる。前フレームエレメント５２０には１対のリム５１２、５１４の中に固定されるレンズが設けられていない。スロット５２５、５２７は、長方形、楕円形、円形、四角形、鍵穴形、六角形、五角形、八角形、星形または同様なものであってもよい。
【００２０】
図５は、前フレームエレメント５２０が実質的に完全な円または長円を規定する完全な１対のリム５１２、５１４を有することを示す。一実施形態では、前フレームエレメントは、中央フレームエレメント５３０の１対のリム５０２、５０４の少なくとも一部と同延する部分をさらに備える。すなわち、一実施形態では、前フレームエレメント５２０は、円または長円の一部、すなわち、不完全な円または長円をそれぞれ規定する１対のリムを含む。
【００２１】
フレームアセンブリ１０５は、中央フレームエレメント５３０の長さと実質的に同じ長さで、後フレームエレメント５４０の両サイドにスロット（５４５、５４７）とを有し、後フレームエレメントのスロット５４５、５４７が中央フレームエレメントのスロットと整列するとき、後フレームエレメントの一部が１対のリム５０２、５０４によって規定される開口の一部に張り出す後フレームエレメント５４０をさらに含む。すなわち、前フレームエレメント５２０について上記で説明したように、後フレームエレメント５４０の１対のリムによって規定される開口は中央フレームエレメント５３０の１対のリム５０２、５０４によって規定される開口よりも小さくてよいため、後フレームエレメントの一部が１対のリム５０２、５０４によって規定される開口に張り出すようになる。後フレームエレメント５４０には後フレームエレメントの１対のリムの中に固定されるレンズが設けられていない。スロット５４５、５４７は長方形、楕円形、円形、四角形、鍵穴形、六角形、五角形、八角形、星形または同様なものであってもよい。
【００２２】
図５は、後フレームエレメント５４０が実質的に完全な円または長円を規定する完全な１対のリムを有することを示す。一実施形態では、後フレームエレメントは、中央フレームエレメント５３０の１対のリム５０２、５０４の少なくとも一部と同延する部分をさらに備える。すなわち、一実施形態では、後フレームエレメント５４０は、円または長円の一部、すなわち、不完全な円または長円をそれぞれ規定する１対のリムを含む。
【００２３】
モジュール式眼鏡１００は、前、後および中央のフレームエレメントのスロット内にしっかりと嵌合する圧縮可能な端部を有する１対のテンプル１１５、１１７も含むので、前記圧縮可能な端部が圧縮されて、前記スロットに挿入されて、解放されると、前記圧縮可能な端部が広がって、前記スロット内に固定されるようになる。１対のレンズ１１０、１１２が１対のリム５０２、５０４の中に配置されるとき、中央フレームエレメントは、中央フレームエレメントのスロットが前後のフレームエレメントのスロットと整列するように、前フレームエレメントと後フレームエレメントとの間に配置され、１対のテンプルの圧縮可能な端部が前、後および中央のフレームエレメントのスロットに挿入されて、解放されることで、前、後および中央のフレームエレメントは一緒に固定されて、さらに１対のレンズが前、後および中央のフレームエレメントによって定位置にしっかりと保持されるようになる。
【００２４】
図６は、例示的な実施形態による、モジュール式眼鏡１００のテンプル１１７の側面図である。右テンプル１１７は、Ｖ字型に広がり、テンプルの長手主軸に沿って長手方向に走るＶ字形スリット６５０を規定する１対のスプリットアーム６５５、６５７を備える。右テンプル１１７は各スプリットアーム６５５、６５７のそれぞれの遠位端に四角形の切り欠き部６６０、６６２を含む。切り欠きはスプリットアーム６５５、６５７のそれぞれの遠位端から垂直に延びている突出要素または垂直要素６７０、６７２を規定する。上記の構成は圧縮可能な端部を有するテンプル１１７になり、テンプル１１７の遠位端は人の指を使って（図６の矢印の方向に）圧縮できるので、スプリットアーム６５５、６５７はくっつくようになる。このように、圧縮されるとき、スプリットアーム６５５、６５７の端部は後、中央および前のフレームエレメント５４０、５３０、５２０のスロットに挿入でき、そのときフレームエレメントはサンドイッチ構造に積層される。前記スロットに挿入されると、圧縮可能な端部は解放されて、それにより、圧縮可能な端部は（図６の矢印とは反対の方向に）広がって、後、中央および前のフレームエレメントのスロットの内面に押し当たることになる。後、中央および前のフレームエレメントのスロットの内面は、スプリットアーム６５５、６５７のそれぞれの遠位端の四角形の切り欠き部６６０、６６２に対置する。スプリットアーム６５５、６５７のそれぞれの遠位端から垂直方向に延びている突出要素または垂直要素６７０、６７２は、後、中央および前のフレームエレメントが外側にテンプルから離れるように引っ張られるのを防ぐ。そのため、テンプルは後、中央および前のフレームエレメントを定位置にしっかりと維持する。
【００２５】
図７は、例示的な実施形態による、分解した状態のモジュール式眼鏡１００の側斜視図である。図７は、後、中央および前のフレームエレメント５４０、５３０、５２０がどのようにサンドイッチ構造に積層されているかを示し、テンプル１１５、１１７は後、中央および前のフレームエレメントを一緒に締結する留め具として作用している。
【００２６】
上記で説明したように、テンプル１１５、１１７の圧縮可能な端部は人の指を使って圧縮できるので、スプリットアーム６５５、６５７はくっつくようになる。このように、圧縮されると、スプリットアームの端部は後、中央および前のフレームエレメント５４０、５３０、５２０のスロットに挿入でき、そのときこれらはサンドイッチ構造に積層される。そのため、テンプルは後、中央および前のフレームエレメントを定位置にしっかりと維持する。
【００２７】
モジュール式眼鏡１００は、次のように組み立てられる。まず、レンズ１１０、１１２を中央フレームエレメント５３０のリム５０２、５０４の溝付き受け部（図示せず）に置く。次に、スロット５２７がスロット５３７および５４７に整列するように、かつ、スロット５２５がスロット５３５およびスロット５４５に整列するように、中央フレームエレメント５３０を前フレームエレメント５２０および後フレームエレメント５４０の中間に整列させて、積層する。前フレームエレメント５２０のリムによって規定される開口および後フレームエレメント５４０のリムによって規定される開口が、中央フレームエレメント５３０のリム５０２、５０４のリムよりも小さい径を有するので、中央フレームエレメント５３０のレンズ１１０、１１２は前後のフレームエレメントによって定位置に固定されるようになる。
【００２８】
次に、テンプル１１７のスプリットアーム６５５、６５７を、手で（指の力を使って）強く押し、または圧縮し、（図７に示す）矢印の方向に前、中央および後のフレーム部材のスロット５２７、５３７、５４７に挿通する。また、テンプル１１５のスプリットアームを強く押して、（図７に示す）矢印の方向に前、中央および後のフレーム部材のスロット５２５、５３５、５４５に挿通する。テンプルが完全に挿入されたら、スプリットアームが解放され、切り欠き部がスロットの内面に押し当たり、前、中央および後のフレームエレメントを定位置にロックする。
【００２９】
モジュール式眼鏡１００は、次のように分解する。テンプル１１７のスプリットアーム６５５、６５７を手で（指の力を使って）強く押し、前、中央および後のフレーム部材のスロット５２７、５３７、５４７から（図７に示す）矢印の方向とは反対に抜く。また、テンプル１１５のスプリットアームを強く押して、前、中央および後のフレーム部材のスロット５２５、５３５、５４５から（図７に示す）矢印の方向とは反対に抜く。テンプル１１５、１１７が外れたら、前後のフレームエレメントを中央フレームエレメントから取り外すことができ、レンズ１１０、１１２はもう定位置に保持されない。これで、モジュール式眼鏡１００は完全に分解される。
【００３０】
図８は、例示的な実施形態による、モジュール式眼鏡１００の側断面図である。図８は、テンプル１１７の主長手軸に沿った断面を示す。図８は、テンプル１１７のスプリットアームが後、中央および前のフレームエレメント５４０、５３０、５２０のスロットに挿入されており、そのときにフレームエレメントがサンドイッチ構造に積層されているところを示す。挿入されたら、圧縮可能な端部は広がって、後、中央および前のフレームエレメントのスロットの内面に押し当たる。後、中央および前のフレームエレメントのスロットの内面は、テンプル１１７のスプリットアームのそれぞれの遠位端にある四角形の切り欠き部６６０、６６２にしっかりと対置する。図８は、四角形の切り欠き部６６０、６６２は後、中央および前のフレームエレメントのスロットの内面に嵌合するように正確に成形されていることを示す。スプリットアーム６５５、６５７のそれぞれの遠位端から垂直方向に延びている突出要素または垂直要素６７０、６７２は、後、中央および前のフレームエレメントが外側にテンプルから離れるように引っ張られるのを防ぐ。そのため、テンプルは後、中央および前のフレームエレメントを定位置にしっかりと維持する。
【００３１】
図９は、例示的な実施形態による、モジュール式眼鏡１００の中央フレームエレメント５３０の正面図である。中央フレームエレメント５３０は、１対のレンズを受け入れるための開口を規定する１対のリム５０２、５０４と、中央フレームエレメントの両サイドにスロット（５３５、５３７）とを含む。１対のリム５０２、５０４（ブリッジ４０２によって接続されている）は、レンズ１１０、１１２を定位置に保持する溝付きまたは段付きの受け部または内面（図示せず）を含んでもよい。スロット５３５、５３７は長方形、楕円形、円形、四角形、鍵穴形、六角形、五角形、八角形、星形または同様なものであってもよい。
【００３２】
一実施形態では、上記で説明したモジュール式眼鏡１００の構成要素のいずれも、木、金属、合金、セメント、セラミック、プラスチック、ゴム、任意の熱硬化性エラストマー、ポリエチレン、ＰＶＣ、前述のものの任意の組み合わせ、または同様なものから構成してもよい。
【００３３】
本考案の対象を構造的特徴および／または方法的行為に特有の言葉で説明してきたが、添付の請求項で定義される対象は必ずしも上記で説明した特徴または行為に制限されないと理解すべきである。むしろ、上記で説明した特有の特徴または行為は実用新案登録請求の範囲を実施する例として開示される。
【図１】
0003224837.tif 000003
【図２】
0003224837.tif 000004
【図３】
0003224837.tif 000005
【図４】
0003224837.tif 000006
【図５】
0003224837.tif 000007
【図６】
0003224837.tif 000008
【図７】
0003224837.tif 000009
【図８】
0003224837.tif 000010
【図９】
0003224837.tif 000011